(57)【要約】【課題】  巨大なシート材を浚渫作業の現場近くで容易に製作することができ、かつ水底に容易に敷設してヘドロの拡散を防止しつつ、効率よく浚渫する方法を提供することを目的とする。【解決手段】  細幅長尺の短冊状シート２を複数枚重ね合わせ、当該短冊状シート２の側縁において、隣接する短冊状シート２と交互に接合して、広幅長尺のシート材１をジグザグに折り畳んだ状態のブロック３を形成し、当該ブロック３を浚渫するべき水底に沈め、水底において前記ブロック３を扁平状態のシート材１に展開してヘドロ７上を覆い、そのシート材１の下のヘドロ７を撹拌しつつ吸引除去する。【選択図】          図２
2005066569.tif 000002
【特許請求の範囲】
【請求項１】
細幅長尺の短冊状シート（２）を複数枚重ね合わせ、当該短冊状シート（２）の側縁において、隣接する短冊状シート（２）と交互に接合して、広幅長尺のシート材（１）をジグザグに折り畳んだ状態のブロック（３）を形成し、当該ブロック（３）を浚渫するべき水底に沈め、水底において前記ブロック（３）を扁平状態のシート材（１）に展開してヘドロ（７）上を覆い、そのシート材（１）の下のヘドロ（７）を撹拌しつつ吸引除去することを特徴とする、水底のヘドロの浚渫方法
【請求項２】
前記短冊状シート（２）が、生分解性繊維よりなることを特徴とする、請求項１に記載の水底のヘドロの浚渫方法
【発明の詳細な説明】
【技術分野】
【０００１】
本発明は、水底のヘドロの浚渫方法に関するものであって、特に河川や海の浚渫作業に際して、ヘドロが水中に拡散して水質汚染を生じることのない、浚渫方法に関するものである。
【背景技術】
【０００２】
従来海や河川の水底に堆積したヘドロを浚渫する場合には、例えば特開２０００−１７６４８９号公報に示されるように、水底のヘドロを撹拌し、水に懸濁した状態で吸引して除去することが行われていた。
【０００３】
しかしながらこの方法では、ヘドロを懸濁した水をすべて回収することができれば良いが、回収しきれなかったヘドロが水と共に周囲に拡散し、新たな水質汚染を招くことになっていた。
【０００４】
水底のヘドロの上を巨大なシート材で覆い、そのシート材の下でヘドロを撹拌しながら吸引することも考えられているが、一辺が数十ｍ乃至百ｍを超えるような巨大な一枚もののシート材を製作することは事実上不可能である。
【０００５】
また仮にそのようなシート材を製作し得たとしても、かかる巨大なシート材を所要の場所に搬送しなければならず、さらにそれを水底に拡げて敷設するのであり、かかる作業にはさらに困難が伴う。
【特許文献１】特開２０００−１７６４８９号公報
【発明の開示】
【発明が解決しようとする課題】
【０００６】
本発明はかかる事情に鑑みなされたものであって、前述のような巨大なシート材を浚渫作業の現場近くで容易に製作することができ、かつ水底に容易に敷設してヘドロの拡散を防止しつつ、効率よく浚渫する方法を提供することを目的とするものである。
【課題を解決するための手段】
【０００７】
而して本発明は、細幅長尺の短冊状シートを複数枚重ね合わせ、当該短冊状シートの側縁において、隣接する短冊状シートと交互に接合して、広幅長尺のシート材をジグザグに折り畳んだ状態のブロックを形成し、当該ブロックを浚渫するべき水底に沈め、水底において前記ブロックを扁平状態のシート材に展開してヘドロ上を覆い、そのシート材の下のヘドロを撹拌しつつ吸引除去することを特徴とするものである。
本発明においては、前記短冊状シートとして、生分解性繊維よりなるものを使用することが好ましい。
【発明の効果】
【０００８】
本発明によれば、前述のような巨大なシート材を浚渫作業の現場近くで容易に製作することができ、かつ水底に容易に浚渫現場に敷設してヘドロの拡散を防止しつつ、効率よく浚渫するすることができる。
【発明を実施するための最良の形態】
【０００９】
以下本発明の実施の形態を図面に従って説明する。図１乃至図３は本発明におけるシート材１を示すものであって、細幅長尺の短冊状シート２が複数枚重ね合わせられており、当該短冊状シート２の側縁において隣接する短冊状シート２と交互に接合して、広幅長尺のシート材１が形成され、当該シート材１をジグザグに折り畳んだ状態のブロック３が形成されている。
【００１０】
このシート材１において、個々の短冊状シート２は、幅が約１〜２ｍで、シート材１の一辺の長さに相当する長さを有する短冊状を有しており、柔軟な織物又はターポリンなどの材料よりなっている。短冊状シート２が織物よりなる場合には、微生物の作用により分解される生分解性繊維よりなるものであることが好ましい。
【００１１】
かかる短冊状シート２は幅が小さいので、通常の織成、積層加工などの手段で容易に製作することができると共に、製作された短冊状シート２は、相当程度の長さのものを折り畳んだりロール状に巻回した状態で、任意に輸送することが可能である。
【００１２】
而して浚渫工事の現場又はその近傍において、前記短冊状シート２を所定の長さに切断して平らな場所に載置し、その上に同長の短冊状シート２を次々と重ねて載置しながら、その側縁において隣接する短冊状シート２と交互に接合することにより、短冊状シート２でシート材１を形成すると共に、そのシート材１がジグザグに折り畳まれたブロック３が形成されるのである。
【００１３】
例えば、接合代を差し引いた幅が１ｍ、厚さが３mmの短冊状シート２で、１００ｍ四方のシート材１を形成する場合であれば、前記短冊状シート２を１００枚重ね合わせてその側縁において接合すればよく、幅が１ｍ強、長さが１００ｍで、厚さが３０〜４０cmのブロック３が形成される。
【００１４】
そしてこのようなブロック３は、長距離に亙って輸送することは困難であるが、コンベアやクレーンなどを使用することにより小距離の移動は可能であり、またこのブロック３を展開することにより、図３に示すように大きい面積を有するシート材１とすることができる。
【００１５】
而してこのブロック３を、浚渫船又は補助船に搭載して浚渫工事の現場に運び、ブロック３のままで水中に投入して水底に沈め、当該水底において前記ブロック３を展開して扁平状態のシート材１としてヘドロ上を覆う。展開の方法としては、例えばブロック状のシート材１の両側縁に接続されたロープを、両側から船で牽引することにより、展開することができる。
【００１６】
次いで展開されたシート材１の中央部に透孔４を穿設し、当該透孔４に水上の船舶５などから吸引管６を貫通させ、シート材１の下のヘドロ７を撹拌しつつ、吸引除去するのである。なお前記透孔４は、シート材１を展開した後に穿設してもよく、また予め穿設しておいてもよい。またシート材１の下でのヘドロ７の撹拌や吸引は、公知の方法で行うことができる。
【００１７】
ヘドロ７の除去が終わった後は、水底に敷設されたシート材１を撤去するべきであるが、短冊状シート２が生分解性繊維よりなる場合には、そのまま水底に放置することができ、時間の経過と共に微生物の作用で分解されて消失する。
【００１８】
このように本発明によれば、細幅の短冊状シート２を複数枚重ね合わせて、その側縁を接合することにより巨大なシート材１を形成するので、個々の短冊状シート２は公知の技術で容易に製作することができると共に、これをどの様な場所にでも自由に運搬することができる。
【００１９】
またこの短冊状シート２を重ね合わせ、側縁を接合することによりシート材１を形成するので、浚渫作業の現場近くにおいてシート材１を容易に製作することができると共に、これを水底に敷設することができ、ヘドロの拡散を有効に防止しつつ、効率よく浚渫することができる。
【００２０】
また本発明によれば、シート材１は、ジグザグに折り畳んだ状態のブロック３として形成し、浚渫現場への移動及び水底への敷設もブロック３の状態で行い、水底において展開してシート材１とするので、巨大なシート材１を扁平状態のままで取り扱うことがなく、作業が容易である。
【００２１】
また短冊状シート２として生分解性繊維よりなるものを使用すれば、ヘドロ７を除去した後シート材１をそのまま水底に放置することができるので、シート材１の除去の必要がなく、浚渫作業をより簡略化することができる。
【図面の簡単な説明】
【００２２】
【図１】本発明におけるシート材よりなるブロックの横断面図
【図２】本発明におけるシート材よりなるブロックの斜視図
【図３】本発明におけるシート材を展開した状態の斜視図
【図４】本発明によりヘドロを浚渫する状態を示す概念図
【符号の説明】
【００２３】
１  シート材
２  短冊状シート
３  ブロック
７  ヘドロ
【図１】
2005066569.tif 000003
【図２】
2005066569.tif 000004
【図３】
2005066569.tif 000005
【図４】
2005066569.tif 000006